(57)【要約】      （修正有）【課題】製造がしやすく、水洗いが可能で、かびの発生を防止する、丈夫な各種マット類の構造により全てが織りによる通気性のあるマットの組み合わせを提供する。【解決手段】複数層の表面及び底面からなる鉤針編みで製作された布質の面に、中間にある極めて多数の直列状に並んだ変形しにくいモノフィラメントからなる厚みのあるマットを組み合わせて、一定のサイズに切り揃えて重ね、必要な厚さのマットにする。そのうち、内層の厚みのあるマットは、表面及び底面からなるレース状に織られた網目を持つ布面とモノフィラメントによるゆったりとした目の通気層と、表面及び底面の外層に位置する厚みのあるマットが表面及び底面の両面が比較的密に織られていることと、モノフィラメントの緊密に配置されて平均に平らになった圧力を受ける層からなることで、かがりロープで通気層と圧力を受ける層を重ねてかがると、極めて風通しがよい。【選択図】図１
0003115918.tif 000002
【実用新案登録請求の範囲】
【請求項１】
複数層の表面及び底面からなる鉤針編みで製作された布質の面に、中間にある極めて多数の直列状に並んだ変形しにくいモノフィラメントからなる厚みのあるマットを組み合わせて、一定のサイズに切り揃えて重ね、必要な厚さのマットにし、
中間の単一あるいは複数の内層の厚みのあるマットは、表面、底面の2面のレース状の網目をもつ布面に支えるモノフィラメントをゆるやかに配置したもので、全体的に支え、強度の比較的弱い支えるモノフィラメント及び全体に空洞のある空気の通り道によって、内側に比較的すぐれた弾力性のある通気性に富んだ通気層を形成して、表面、底面にある外層の厚みのあるマットが、表面、底面の2面が比較的密集して織られた布面で、支えるモノフィラメントを密に配置していて、この強度が密集していることにより、平らな表面を持つ、寝心地、座り心地のよい、圧力を受ける層を形成し、さらに、通気層及び圧力を受ける層は、織りによって製作されているため、各層を一定のサイズに切り揃えて同じ大きさにして重ねた後、角をかがりロープによって連続して各層を貫いてかがって固定すると、各層がしっかりと結合した、厚みのあるマットとなり、この通気層及び圧力を受ける層を組み合わせた多層式ライナーは、外層マットカバー内側に配置されるか、あるいは、さらに内層ライナーライナーを追加した後、マット全体の製作が完成して、棕櫚や面繊維等の非織性マットの充填物にとって代わることが可能で、爽やかで、すぐれた通気性を持ち、且つ、マットの外形及びマット面の平坦度を保ち、多数の実用性を持つという特長を持つ、全てが織りによる通気性のあるマットの組み合わせ。
【請求項２】
内層ライナーがナノカーボン繊維によって作成された布からなっていて、内層ライナーがマイナスイオン、遠赤外線等の治療、除臭等の補助作用を充分発揮して、マットの機能を高めることが可能であるという特長を持つ、請求項1に記載の全てが織りによる通気性のあるマットの組み合わせ。
【請求項３】
外層マットカバー底面の角、あるいは一部分に、張るか、縫い付けるかによって滑り止め効果のある材質からなる滑り止めを取り付けてあるため、マット全体が使用の過程において位置がずれることがなく、使いやすく、実用性も高いという特長を持つ、請求項1に記載の全てが織りによる通気性のあるマットの組み合わせ。
【考案の詳細な説明】
【技術分野】
【０００１】
本考案は全てが織りによる通気性のあるマットの組み合わせに関する。本考案の全てが織りによる通気性のあるマットの組み合わせは、棕櫚や綿繊維等の非織性のマット充填物に代わって、複数層の表面及び底面からなる鉤針編みで製作された布質の面に、中間にある極めて多数の直列状に並んだ変形しにくいモノフィラメントからなる厚みのあるマットを組み合わせて、一定のサイズに切り揃えて重ね、必要な厚さのマットにしてあるため、極めて風通しがよいという効果がある。
【背景技術】
【０００２】
従来の簡単なマットは厚みを持たせるために、たいてい綿繊維やスポンジあるいは棕櫚等の充填物を使用している。しかしながら、このタイプのマットは充填物が脱落したり、緩んだりして製造上不便が生じる。さらに、長期間使用すると、マットの表面の平坦度や弾力性等にも影響して元の状態を保つことが難しい。特に、緩みが生じるような充填物を使用している場合、使用者の体重がかかることで長期間経つと、その弾力性が徐々になくなり、使い心地が悪くなり、通気性も悪くなる。
上記の欠点を改善した改良型のマットも市販されている。このタイプは、表面及び底面に鉤針編みの布質を使用し、中間に多数の直列状に並んだ変形しにくいモノフィラメントからなる織り構造を持つマットを組み合わせている。その中間の直列の弾力性のあるモノフィラメントは、マットの厚みを増やし、マットの弾力性を保つためのものである。さらに、使用に耐え、水洗いが可能で、カビを防ぐ効果もあるため、従来の厚みのあるマットより優れている。しかしながら、このタイプの織り構造を持つマット構造は、織りの過程においてモノフィラメントの長さに制限がある。繊維の長さが長すぎると、圧力に耐えるしっかりとした形状が保てないため、マットの厚みを持たせる際に制限があり、これも理想的だとは言えない。
【考案の開示】
【考案が解決しようとする課題】
【０００３】
本考案は、上記従来の問題点を解決することができる全てが織りによる通気性のあるマットの組み合わせを提供することを課題とする。
【課題を解決するための手段】
【０００４】
本考案の全てが織りによる通気性のあるマットの組み合わせは、棕櫚や綿繊維等の非織性のマット充填物に代わって、複数層の表面及び底面からなる鉤針編みで製作された布質の面に、中間にある極めて多数の直列状に並んだ変形しにくいモノフィラメントからなる厚みのあるマットを組み合わせて、一定のサイズに切り揃えて重ね、必要な厚さのマットにする。そのうち、内層の厚みのあるマットは、表面及び底面からなるレース状に織られた網目を持つ布面とモノフィラメントによるゆったりとした目の通気層と、表面及び底面の外層に位置する厚みのあるマットが表面及び底面の両面が比較的密に織られていることと、モノフィラメントの緊密に配置されて平均に平らになった圧力を受ける層からなることで、かがりロープで通気層と圧力を受ける層を重ねてかがると、極めて風通しがよいという効果がある。したがって、一般家庭において、座る、敷く、横になる、寝る等の際に床に敷くことで、冷たい、硬いといった床の感触を改善することができる。また、直に床に敷くのではないため、湿気を避けてさわやかさが保てる。さらに、マットレスの取って代わることも可能である。ある程度厚みのあるタイプを購入して、布質のカバーを掛ければ、リビングや寝室のカーペットとして使用が可能である。
【考案の効果】
【０００５】
本考案の全てが織りによる通気性のあるマットの組み合わせは、複数層の表面及び底面からなる鉤針編みで製作された布質の面に、中間にある極めて多数の直列状に並んだ変形しにくいモノフィラメントからなる厚みのあるマットを組み合わせて、一定のサイズに切り揃えて重ね、必要な厚さのマットにする。
各層のマットを重ねた後、かがりロープで連続して各層を貫いてしっかりと結合させると、内層のライナーと外層のマットカバーの組み合わが完成する。したがって、本考案の全てが織りによる通気性のあるマットの組み合わせは、製造がしやすく、水洗いが可能で、かびの発生を防止する、丈夫な各種マット類の構造を提供することが可能である。
さらに、本考案の全てが織りによる通気性のあるマットの組み合わせは、中間の単一あるいは複数の内層の厚みのあるマットが、表面及び底面のレース状の網目を持つ布面及びモノフィラメントがゆるやかに配置されていて、優れた弾力性を持つ通気層を持つ。また、表面及び底面の外層の厚みのあるマットは、表面及び底面の両面が比較的密に織られていて、モノフィラメントと緊密に配置されていて、平坦な表面の圧力を受ける層となっている。したがって、このような多層式の内側マットの組み合わせが、マットに優れた爽やかさと、通気性をもたらし、同時に、マット面を平らにし、多機能性を持つという特長を持つ。
【考案を実施するための最良の形態】
【０００６】
図1を参照いただきたい。本考案の全てが織りによる通気性のあるマットの組み合わせは、複数層の表面及び底面からなる鉤針編みで製作された布質の面2Aに、中間にある極めて多数の直列状に並んだ変形しにくいモノフィラメント2Bからなる厚みのあるマット2を組み合わせて、一定のサイズに切り揃えて重ね、必要な厚さのマットHにする。
【０００７】
中間の単一あるいは複数の内層の厚みのあるマット2"は、表面、底面の2面のレース状の網目をもつ布面2"Aに支えるモノフィラメント2"Bをゆるやかに配置したもので、全体的に支え、強度の比較的弱い支えるモノフィラメント2"B及び全体に空洞のある空気の通り道によって、内側に比較的すぐれた弾力性のある通気性に富んだ通気層2"Sを形成する。
【０００８】
また、表面、底面にある外層の厚みのあるマット2は、表面、底面の2面が比較的密集して織られた布面2Aで、密に支えるモノフィラメント2Bを密に配置している。この強度が密集していることにより、平らな表面を持つ、寝心地、座り心地のよい、圧力を受ける層2Sを形成する。
【０００９】
さらに、通気層2"S及び圧力を受ける層2Sは、織りによって製作されているため、各層を一定のサイズに切り揃えて同じ大きさにして重ねた後、角をかがりロープPによって連続して各層を貫いてかがって固定すると、各層がしっかりと結合した、厚みのあるマット2(図2Aを参照いただきたい)となる。
【００１０】
この通気層2"S及び圧カを受ける層2Sを組み合わせた多層式ライナーは、外層マットカバー3内側に配置されて(図2Cを参照いただきたい)、あるいは、さらに内層ライナー4を追加した後(図2Bを参照いただきたい)、マット全体の製作が完成する。
【００１１】
通気層2"S及び圧カを受ける層2Sは、人造繊維を織って製造し、棕櫚や面繊維等の非織性マットの充填物にとって代わることが可能である。そして、水洗いができ、カビの発生を防ぐという効果を持つマット構造を提供する。
【００１２】
図3、図4を参照いただきたい。圧力を受ける層2Sは、密に配置された支えるモノフィラメント2B及び密に織られた布面2Aからなるため、マットの外形及びマット面の平坦度を保つ外、規則的で均一化した支えるモノフィラメント2B,2"Bの弾力性効果によって、マットの安定性、持久性を保つので、重みによって変形することがなく、すぐれた耐用性を持つ。さらに、マット面が圧力を受けた時(図4を参照いただきたい)、平坦で、支える強度に優れた圧力を受ける層2Sがくぼみ変形する量は、内側の通気層2"Sによってその変形吸収を受けて、心地よい弾力性を提供する。そして、通気層2"Sによって側面を形成する方式は、主な気流Airを出入りさせ換気して調節する。爽やかさ、心地よさをもたらす、すぐれたマット効果を提供することは、本考案の全てが織りによる通気性のあるマットの組み合わせが持つ最大の特長である。
【００１３】
また、内層のライナー4は、ナノカーボン繊維によって織られた布を採用して製造していて(図1、図2A、図Bを参照いただきたい)、伝統の遠赤外線粉末によって製造されたスポンジ充填物に取って変われるような同様の機能を持つ。そして、この内層ライナー4はマイナスイオン、遠赤外線等の治療、除臭等の補助作用を充分発揮して、マットの機能を高めることが可能である。
さらに、ナノカーボン繊維材料を採用する場合のコスト及び製作は、いずれもスポンジを採用する場合より経済的ですぐれている。
【００１４】
さらに、外層のマットカバー3の底面の角あるいは部分的に、貼るか、縫いつけるかによって、滑り止め効果のある材質(シリコンパッド等)からなる滑り止め31(図1及び図2A、図2B、図2Cを参照いただきたい)を取り付けてあるため、マット全体が使用の過程において位置がずれることがない。したがって、使いやすく、実用性も高い。
【図面の簡単な説明】
【００１５】
【図１】本考案の構造の立体分解図である。
【図２Ａ】本考案の構造の実施例の部分立体組立図である。
【図２Ｂ】本考案の構造の実施例の部分立体組立図である。
【図２Ｃ】本考案の構造の実施例の立体組立図である。
【図３】本考案の構造の実施例の断面図である。
【図４】本考案の構造の実施例の使用説明図である。
【符号の説明】
【００１６】
2  マット
2A  鉤針編みで製作された布質の面
2"A  レース状の網目をもつ布面
2B  モノフィラメント
2"B  支えるモノフィラメント
2S  圧力を受ける層
2"S  通気層
3  マットカバー
4  ライナー
H  マット
P  かがりロープ
【図１】
0003115918.tif 000003
【図２Ａ】
0003115918.tif 000004
【図２Ｂ】
0003115918.tif 000005
【図２Ｃ】
0003115918.tif 000006
【図３】
0003115918.tif 000007
【図４】
0003115918.tif 000008
【手続補正書】
【提出日】平成17年8月30日(2005.8.30)
【手続補正１】
【補正対象書類名】実用新案登録請求の範囲
【補正対象項目名】全文
【補正方法】変更
【補正の内容】
【実用新案登録請求の範囲】
【請求項１】
上面及び下面の2面のレース状の網目をもつ布面（2"A）の間に、支えるモノフィラメント（2"B）をゆるやかに配置していて、マット（2"）を全体的に支え、強度の比較的弱い、支えるモノフィラメント（2"B）及び全体に空洞のある空気の通り道によって、内側に比較的すぐれた弾力性のある通気性に富んだ通気層2"Sを形成する内層の厚みのあるマット（2"）と、
上面及び下面の2面が比較的密集して織られた布面（2A）の間に、支えるモノフィラメント（2B）を密に配置していて、この強度のあるモノフィラメント（2B）が密集していることにより、平らな表面を持つ、寝心地、座り心地のよい、圧力を受ける層（2S）を形成する外層の厚みのあるマット（２）と、
上記内層の厚みのあるマット（2"）を単一あるいは複数重ねて、それを中間にし、その上面及び下面に上記外層の厚みのあるマット（２）を重ね合わせて一定のサイズに切り揃えて、かがりロープ（Ｐ）によって各層を貫いてかがって固定されたマット（Ｈ）を内側に配置するか、あるいは、上記マット（Ｈ）との間にライナー（４）を追加して、上記マット（Ｈ）を内側に配置するマットカバー（３）と、
から構成されることを特徴とする、全てが織りによる通気性のあるマットの組み合わせ。
【請求項２】
上記ライナー（４）がナノカーボン繊維によって作成された布から成ることを特徴とする請求項１に記載の、全てが織りによる通気性のあるマットの組み合わせ。
【請求項３】
上記マットカバー（３）の底面の角あるいは一部分に、貼るか、縫い付けるかによって、滑り止め効果のある材質からなる滑り止め（３１）を取り付けることを特徴とする請求項1に記載の、全てが織りによる通気性のあるマットの組み合わせ。
【手続補正２】
【補正対象書類名】明細書
【補正対象項目名】０００６
【補正方法】変更
【補正の内容】
【０００６】
図1を参照いただきたい。本考案の全てが織りによる通気性のあるマットの組み合わせは、中間の単一あるいは複数の内層の厚みのあるマット2"と、該内層の厚みのあるマット2"の上面及び下面にある外層の厚みのあるマット2と、これら内層の厚みのあるマット2"と外層の厚みのあるマット2を重ね合わせて一定のサイズに切り揃えて、必要な厚さのマットＨを構成する。
【手続補正３】
【補正対象書類名】明細書
【補正対象項目名】０００７
【補正方法】変更
【補正の内容】
【０００７】
上記内層の厚みのあるマット2"は、上面及び下面の2面のレース状の網目をもつ布面2"Aの間に、支えるモノフィラメント2"Bをゆるやかに配置したもので、マット2"を全体的に支え、強度の比較的弱い、支えるモノフィラメント2"B及び全体に空洞のある空気の通り道によって、内側に比較的すぐれた弾力性のある通気性に富んだ通気層2"Sを形成している。
【手続補正４】
【補正対象書類名】明細書
【補正対象項目名】０００８
【補正方法】変更
【補正の内容】
【０００８】
上記外層の厚みのあるマット2は、上面及び下面の2面が比較的密集して織られた布面2Aの間に、支えるモノフィラメント2Bを密に配置している。該布面2Aは、鉤針編みで製作されている。また、上記モノフィラメント2Bは、直列状に並んだ変形しにくいものである。この強度のあるモノフィラメント2Bが密集していることにより、平らな表面を持つ、寝心地、座り心地のよい、圧力を受ける層2Sを形成している。
【手続補正５】
【補正対象書類名】明細書
【補正対象項目名】００１０
【補正方法】変更
【補正の内容】
【００１０】
上記通気層2"S及び上記圧力を受ける層2S、すなわち、上記内層の厚みのあるマット2"と外層の厚みのあるマット2を組み合わせた上記マットＨは、外層のマットカバー3の内側に配置されて(図2Cを参照いただきたい)、あるいは、さらに内層のライナー4を追加した後(図2Bを参照いただきたい)、マット全体の製作が完成する。
【手続補正６】
【補正対象書類名】明細書
【補正対象項目名】００１３
【補正方法】変更
【補正の内容】
【００１３】
また、上記内層のライナー４は、ナノカーボン繊維によって織られた布を採用して製造していて（図１、図２Ａ、図２Ｂを参照いただきたい）、伝統の遠赤外線粉末によって製造されたスポンジ充填物に取って変われるような同様の機能を有する。そして、この内層のライナー４はマイナスイオン、遠赤外線等の治療、除臭等の補助作用を充分発揮して、マットの機能を高めることが可能である。
さらに、ナノカーボン繊維材料を採用する場合のコスト及び製作は、いずれもスポンジを採用する場合より経済的ですぐれている。
【手続補正７】
【補正対象書類名】明細書
【補正対象項目名】００１６
【補正方法】変更
【補正の内容】
【００１６】
２  外層の厚みのあるマット
2"  内層の厚みのあるマット
２Ａ  布面
2"Ａ  レース状の網目をもつ布面
２Ｂ  モノフィラメント
2"Ｂ  支えるモノフィラメント
２Ｓ  圧力を受ける層
2"Ｓ  通気層
３  マットカバー
４  ライナー
Ｈ  マット
Ｐ  かがりロープ